(57)【特許請求の範囲】
【請求項１】
基地局との無線通信に用いる搬送波が位置し得る各周波数のうちの最低周波数を示す周波数情報を記憶した記憶手段と、
スペクトル拡散信号を受信するアンテナと、
前記記憶手段の周波数情報が示す最低周波数で前記アンテナが受信したスペクトル拡散信号の電界強度を測定した後、電界強度の測定を行う周波数を前記最低周波数から高周波側へ所定周波数幅ずつ移動させながらそれらの移動させた周波数の各々で前記アンテナが受信したスペクトル拡散信号の電界強度を順次測定してゆく測定手段と、
前記測定手段によって電解強度が測定されるたびに、測定された電解強度が第１の閾値を上回ったか否か判断し、電界強度が第１の閾値を上回った連続回数をカウントする手段であって、カウントした連続回数が第２の閾値に到達すると、その連続回数の最初のカウントを行うときの判断対象であったスペクトル拡散信号の周波数と最後のカウントを行うときの判断対象であったスペクトル拡散信号の周波数の間の周波数帯域である第１の周波数帯域を特定する帯域特定手段と、
前記特定された第１の周波数帯域の中心周波数を含む、当該第１の周波数帯域よりも狭い第２の周波数帯域を特定した後、その第２の周波数帯域内に含まれる所定数の周波数をセルサーチの対象となる周波数として順次特定するセルサーチ周波数特定手段と、
前記セルサーチ周波数特定手段が前記第２の周波数帯域に含まれる周波数をセルサーチの対象となる周波数として特定すると、その周波数で前記アンテナが受信したスペクトル拡散信号に含まれる第１のチャネルの信号から検出したスロットタイミングと当該スペクトル拡散信号に含まれる第２のチャネルの信号とを用いてフレームタイミングとスクランブルコードグループとを検出した後、そのスクランブルコードグループと当該スペクトル拡散信号に含まれる第３のチャネルの信号とを用いてスクランブルコードを検出し、検出したスクランブルコードを用いて当該スペクトル拡散信号に含まれる第４のチャネルの信号に逆拡散処理を施すことにより、自機を在圏させている基地局に固有の情報を含む報知情報を取得するセルサーチ実行部と
を備えた無線移動機。
【請求項２】
基地局との無線通信に用いる搬送波が位置し得る周波数帯域の最低周波数と最高周波数を示す周波数情報を記憶した記憶手段と、
スペクトル拡散信号を受信するアンテナと、
前記記憶手段の周波数情報が示す最低周波数で前記アンテナが受信したスペクトル拡散信号の電界強度を測定した後、電界強度の測定を行う周波数を前記最低周波数から高周波側へ所定周波数幅ずつ移動させながらそれらの移動させた周波数の各々で前記アンテナが受信したスペクトル拡散信号の電界強度を順次測定してゆく測定手段と、
前記測定手段によって電解強度が測定されるたびに、測定された電解強度が所定の閾値を上回ったか否か判断する判断手段と、
ある周波数で前記アンテナが受信したスペクトル拡散信号の電解強度が前記閾値を上回っていると前記判断手段が判断したとき、その周波数と前記記憶手段の周波数情報が示す最高周波数の間の周波数帯域である第１の周波数帯域を特定する帯域特定手段と、
前記特定された第１の周波数帯域の中心周波数を含む、当該第１の周波数帯域よりも狭い第２の周波数帯域を特定した後、その第２の周波数帯域内に含まれる所定数の周波数をセルサーチの対象となる周波数として順次特定するセルサーチ周波数特定手段と、
前記セルサーチ周波数特定手段が前記第２の周波数帯域に含まれる周波数をセルサーチの対象となる周波数として特定すると、その周波数で前記アンテナが受信したスペクトル拡散信号に含まれる第１のチャネルの信号から検出したスロットタイミングと当該スペクトル拡散信号に含まれる第２のチャネルの信号とを用いてフレームタイミングとスクランブルコードグループとを検出した後、そのスクランブルコードグループと当該スペクトル拡散信号に含まれる第３のチャネルの信号とを用いてスクランブルコードを検出し、検出したスクランブルコードを用いて当該スペクトル拡散信号に含まれる第４のチャネルの信号に逆拡散処理を施すことにより、自機を在圏させている基地局に固有の情報を含む報知情報を取得するセルサーチ実行部と
を備えた無線移動機。
【発明の詳細な説明】
【０００１】
【発明の属する技術分野】
本発明は、ＣＤＭＡ（符号分割多元接続：Code Division Multiple Access）方式の無線機およびＣＤＭＡ方式の圏内待受移行方法に関する。
【０００２】
【従来の技術】
近年、サービスエリアに複数の基地局を分散配置して、これらの基地局によって、セルと呼ばれる無線ゾーンを形成し、これらのセル毎に基地局と移動無線機との間で無線接続を行うセルラ移動通信システムが普及している。
【０００３】
このセルラ移動通信システムにおける多元アクセス方式としては、例えば、利用者毎に異なる周波数を使うＦＤＭＡ（周波数分割多重：Frequency Division Multiple Access）通信方式や、利用者毎に時間を区切って同一周波数を共有するＴＤＭＡ（時分割多重：Time Division Multiple Access）通信方式、同一周波数において利用者毎に異なるコードを使うＣＤＭＡ通信方式がある。
【０００４】
このうち、ＣＤＭＡ方式にあっては、時系列的にランダムな符号系列を、送信信号に重畳させるといった拡散変調方式が用いられ、拡散変調された信号は、スペクトラム拡散信号と呼ばれる。一方、スペクトル拡散信号の受信者は、送信者が用いた符号系列と同一の符号系列を用いて逆拡散処理と呼ばれる一種の復調処理を実行することで、スペクトラム拡散信号から情報を取得できる。
このため、各利用者が、互いに異なる符号系列を使用すると、同一周波数および時間を共有することができ、周波数資源を有効に利用することができる。さらに、送受信者間で同一の符号系列を用いる必要があることから、同一符号系列を持たない第三者には、情報が漏洩しにくいため、秘匿性に優れている、といった利点もある。
【０００５】
ところで、ＣＤＭＡ方式において、電源投入後や移動後などにあっては、在圏セルを配下とする基地局と通信可能とするため、移動機は、基地局から送信される信号と直ちに同期を確立する必要がある。このような同期の確立のほか、基地局との通信に用いるサービスキャリアの特定などを含めた包括的動作を、一般にセルサーチと呼ばれる。
【０００６】
ここで、セルサーチは、概略すると次のようにして実行される。すなわち、第１に、受信したスペクトラム拡散信号のうち、特定のチャネル（Ｐ−ＳＣＨ）を介した信号をマッチドフィルタに入力することにより、スロットタイミングを検出し、第２に、検出したスロットタイミングと特定のチャネル（Ｓ−ＳＣＨ）とを用いてフレームタイミングを特定するとともに、スクランブルコードグループを検出し、第３に、検出したスクランブルコードグループと特定のチャネル（ＣＰＩＣＨ）を用いてスクランブルコードを検出し、第４に、特定のチャネル（ＢＣＣＨ）を介した信号を、検出したスクランブルコードを用い逆拡散処理して、セルのエリア番号など基地局から該セル内の全移動機に対し共通に報知された情報を取得する。
【０００７】
そして、移動機は、情報を取得すると圏内待受状態に移行する。ただし、移動機は、情報を取得できなかったり、そもそもスロットタイミングを検出できなかったり、また、スクランブルコードを検出できなかったりした場合、再び、サーチ手順を、スロットタイミング検出に戻して、逆拡散処理により情報を取得するまで、同様な動作を間欠的に繰り返す。ここで、逆拡散処理により情報を取得できない場合、移動機は圏外状態になる。
【０００８】
【発明が解決しようとする課題】
しかしながら、ＣＤＭＡ方式で実行される逆拡散処理において消費される電力は、比較的大きい。このため、移動機において、相当回数の逆拡散処理が実行されると、それだけ電力が消費される結果、移動機の連続待受時間が短くなる、といった問題があった。
【０００９】
本発明は、上述した事情に鑑みてなされたものであり、その目的とするところは、圏内待受状態に移行する際の逆拡散処理を減らし、消費される電力を削減して、待受時間の長期化を図ったＣＤＭＡ方式の無線機およびＣＤＭＡ方式の圏内待受移行方法を提供することにある。
【００１０】
【課題を解決するための手段】
上記目的を達成するため本件第１発明に係る移動無線機にあっては、基地局との無線通信に用いる搬送波が位置し得る各周波数のうちの最低周波数を示す周波数情報を記憶した記憶手段と、スペクトル拡散信号を受信するアンテナと、前記記憶手段の周波数情報が示す最低周波数で前記アンテナが受信したスペクトル拡散信号の電界強度を測定した後、電界強度の測定を行う周波数を前記最低周波数から高周波側へ所定周波数幅ずつ移動させながらそれらの移動させた周波数の各々で前記アンテナが受信したスペクトル拡散信号の電界強度を順次測定してゆく測定手段と、前記測定手段によって電解強度が測定されるたびに、測定された電解強度が第１の閾値を上回ったか否か判断し、電界強度が第１の閾値を上回った連続回数をカウントする手段であって、カウントした連続回数が第２の閾値に到達すると、その連続回数の最初のカウントを行うときの判断対象であったスペクトル拡散信号の周波数と最後のカウントを行うときの判断対象であったスペクトル拡散信号の周波数の間の周波数帯域である第１の周波数帯域を特定する帯域特定手段と、前記特定された第１の周波数帯域の中心周波数を含む、当該第１の周波数帯域よりも狭い第２の周波数帯域を特定した後、その第２の周波数帯域内に含まれる所定数の周波数をセルサーチの対象となる周波数として順次特定するセルサーチ周波数特定手段と、前記セルサーチ周波数特定手段が前記第２の周波数帯域に含まれる周波数をセルサーチの対象となる周波数として特定すると、その周波数で前記アンテナが受信したスペクトル拡散信号に含まれる第１のチャネルの信号から検出したスロットタイミングと当該スペクトル拡散信号に含まれる第２のチャネルの信号とを用いてフレームタイミングとスクランブルコードグループとを検出した後、そのスクランブルコードグループと当該スペクトル拡散信号に含まれる第３のチャネルの信号とを用いてスクランブルコードを検出し、検出したスクランブルコードを用いて当該スペクトル拡散信号に含まれる第４のチャネルの信号に逆拡散処理を施すことにより、自機を在圏させている基地局に固有の情報を含む報知情報を取得するセルサーチ実行部とを備えたことを特徴としている。
【００１１】
同様に上記目的を達成するため本件第２発明に係る移動無線機にあっては、基地局との無線通信に用いる搬送波が位置し得る周波数帯域の最低周波数と最高周波数を示す周波数情報を記憶した記憶手段と、スペクトル拡散信号を受信するアンテナと、前記記憶手段の周波数情報が示す最低周波数で前記アンテナが受信したスペクトル拡散信号の電界強度を測定した後、電界強度の測定を行う周波数を前記最低周波数から高周波側へ所定周波数幅ずつ移動させながらそれらの移動させた周波数の各々で前記アンテナが受信したスペクトル拡散信号の電界強度を順次測定してゆく測定手段と、前記測定手段によって電解強度が測定されるたびに、測定された電解強度が所定の閾値を上回ったか否か判断する判断手段と、ある周波数で前記アンテナが受信したスペクトル拡散信号の電解強度が前記閾値を上回っていると前記判断手段が判断したとき、その周波数と前記記憶手段の周波数情報が示す最高周波数の間の周波数帯域である第１の周波数帯域を特定する帯域特定手段と、前記特定された第１の周波数帯域の中心周波数を含む、当該第１の周波数帯域よりも狭い第２の周波数帯域を特定した後、その第２の周波数帯域内に含まれる所定数の周波数をセルサーチの対象となる周波数として順次特定するセルサーチ周波数特定手段と、前記セルサーチ周波数特定手段が前記第２の周波数帯域に含まれる周波数をセルサーチの対象となる周波数として特定すると、その周波数で前記アンテナが受信したスペクトル拡散信号に含まれる第１のチャネルの信号から検出したスロットタイミングと当該スペクトル拡散信号に含まれる第２のチャネルの信号とを用いてフレームタイミングとスクランブルコードグループとを検出した後、そのスクランブルコードグループと当該スペクトル拡散信号に含まれる第３のチャネルの信号とを用いてスクランブルコードを検出し、検出したスクランブルコードを用いて当該スペクトル拡散信号に含まれる第４のチャネルの信号に逆拡散処理を施すことにより、自機を在圏させている基地局に固有の情報を含む報知情報を取得するセルサーチ実行部とを備える。
【００１８】
【発明の実施の形態】
以下、図面を参照して、本発明の実施形態について説明する。
【００１９】
＜第１実施形態＞
まず、実施形態に係る方法に適用されるＣＤＭＡ方式の無線移動機（以下、単に「移動機」という）について説明する。図１は、この移動機の構成を示すブロック図である。
同図に示されるように、移動機１００では、ＣＰＵ（Central Processing Unit）等からなる制御部１０が、各部を制御する構成となっている。
【００２０】
次に、アンテナ１２は、サービスキャリアを介して転送されるスペクトラム拡散信号３０を受信するものである。また、記憶装置１４は、おもに、サービスキャリアに関する周波数情報を記憶するものである。ここで、サービスキャリアに関する周波数情報とは、例えば、サービスキャリアの中心周波数やその帯域幅などを示す情報である。
続いて、電界強度測定装置１６は、制御部１０により指定された周波数における電界強度を測定し、その測定値を制御部１０に返送するものである。
【００２１】
一方、セルサーチ実行部１８は、制御部１０により指定されたサービスキャリアにより搬送されるスペクトラム拡散信号を受信して、上述したセルサーチを実行するものである。
なお、この移動機１００には、図に示される構成の他にも、通常備えられる機構（例えば、受話器や、送話器、操作部、表示部など）と同様のものを備えるが、本発明の趣旨とは関係ないために、それらの説明を省略することにする。
【００２２】
＜動作＞
ここで、移動機１００の動作について説明する前に、本実施形態が想定するサービスキャリアについて、図２を参照して簡単に説明する。
同図に示されるように、本実施形態においては、サービスキャリアが１つである場合を想定しており、該サービスキャリアは、周波数ｆC1を中心とした帯域幅を有する。この場合、記憶装置１４（図１参照）には、このサービスキャリアに関する情報、例えば、周波数ｆC1や帯域幅などの情報が、周波数情報として記憶されている。
【００２３】
＜セルサーチ動作＞
続いて、本実施形態におけるセルサーチ動作について説明する。図３は、このセルサーチ動作を含めて圏内待受状態に移行するまでのの処理手順を示すフローチャートである。
まず、ステップＳａ１において、制御部１０は、内部レジスタにおける変数ｋを「０」にリセットする。ここで、変数ｋは、セルサーチ実行部１８によるセルサーチの連続実行回数を示すものである。
【００２４】
次に、ステップＳａ２において、制御部１０は、第１に、記憶装置１４に記憶された周波数情報を読み出し、第２に、電界強度測定装置１６に対し、読み出した周波数情報から周波数ｆC1における電界強度を測定するように指示する。これにより、電界強度測定装置１６は、周波数ｆC1における電界強度を実際に測定して、測定した電界強度ＥC1を、制御部１０に返信することになる。
【００２５】
続いて、ステップＳａ３において、制御部１０は、返信された電界強度ＥC1が予め設定されたしきい値Ｅthよりも大きいか否かを判別する。
この判別結果が否定的であれば、制御部１０は、一定時間経過後に、処理手順をステップＳａ２に戻して、再度、電界強度測定装置１６に対し、周波数ｆC1における電界強度を測定するように指示する。すなわち、本実施形態では、測定された電界強度ＥC1がしきい値以下である場合、ステップＳａ４以降に処理手順が進行しない構成となっている。
一方、測定された電界強度ＥC1がしきい値を越えた場合、ステップＳａ４において、制御部１０は、セルサーチ実行部１８に対して、周波数ｆC1を中心とする（周波数情報で規定される帯域幅の）サービスキャリアを対象とするセルサーチを実行するように指示する。
【００２６】
これにより、セルサーチ実行部１８は、第１に、受信したスペクトラム拡散信号のうち、特定のチャネル（Ｓ−ＳＣＨ）を介した信号をマッチドフィルタに入力することにより、スロットタイミングを検出し、第２に、検出したスロットタイミングと特定のチャネル（Ｐ−ＳＣＨ）とを用いてフレームタイミングを特定するとともに、スクランブルコードグループを検出し、第３に、検出したスクランブルコードグループと特定のチャネル（ＣＰＩＣＨ）を用いてスクランブルコードを検出し、第４に、特定のチャネル（ＢＣＣＨ）を介した信号を、検出したスクランブルコードを用い逆拡散処理して、報知情報（ＢＣＣＨ情報）の取得を試みる。
【００２７】
そして、ステップＳａ５において、制御部１０は、セルサーチ実行部１８が報知情報を取得したか否かを判別し、この判別結果が肯定的であれば、ステップＳａ６において、圏内待受状態に移行させる。
一方、セルサーチ実行部１８が報知情報を取得できなかった場合、制御部１０は、セルサーチの実行に対応させて、ステップＳａ７において変数ｋを「１」だけインクリメントし、さらに、ステップＳａ８においてインクリメント後の変数ｋが、予め設定された実行回数の上限値ｋmaxよりも大きいか否かを判別する。
【００２８】
そして、セルサーチ実行部１８によるセルサーチ実行回数を示す変数ｋが上限値ｋmaxを越えている場合、制御部１０は、処理手順をステップＳａ１に戻して、変数ｋを「０」にリセットし、再度、電界強度測定装置１６に対し、周波数ｆC1における電界強度を測定するように指示する。
一方、変数ｋが上限値ｋmaxを越えていない場合、制御部１０は、処理手順をステップＳａ４にスキップさせて、セルサーチ実行部１８に対し、再度、セルサーチを実行させて、報知情報の取得を試みさせる。
【００２９】
このように第１実施形態では、周波数ｆC1における電界強度を測定するとともに、測定した電界強度ＥC1がしきい値Ｅthを越えた時点で、はじめてセルサーチを実行する構成となっている。したがって、本実施形態では、サービスキャリアにおける電界強度が弱い場合には、電力消費の大きい逆拡散処理が実行されないので、その分、電力消費が抑えられる。
さらに、第１実施形態では、セルサーチを実行したにもかかわらず、報知情報を取得できない回数が上限値ｋmaxを越えた場合、処理手順を最初のステップＳａ１に戻すので、セルサーチが繰り返されるのが防止される。
したがって、本実施形態では、無駄なセルサーチ動作が二重に防止されて、消費電力が抑えられる結果、待受時間の長期化を図ることが可能となる。
【００３０】
＜第２実施形態＞
上述した第１実施形態では、説明を簡略化するために、サービスキャリアが１つである場合を想定したが、実際のＣＤＭＡ方式では、図４に示されるように、周波数ｆC1、ｆC2、…、ｆCNをそれぞれ中心とするＮ個のサービスキャリアが存在し得る。
そこで次に、サービスキャリアが、このように複数Ｎ個存在する場合を想定した第２実施形態について説明することにする。なお、第２実施形態にあって、記憶装置１４（図１参照）には、これらのサービスキャリアに関する情報、例えば、周波数ｆC1、ｆC2、…、ｆCNなどの情報や帯域幅の情報などが、周波数情報として記憶されている。
【００３１】
＜セルサーチ動作＞
続いて、第２実施形態における動作について説明する。図５は、第２実施形態の処理手順を示すフローチャートである。
まず、ステップＳｂ１において、制御部１０は、内部レジスタにおける変数ｎを「１」にセットする。ここで、変数ｎは、セルサーチ実行部１８によってセルサーチの候補となるサービスキャリアを低周波数側から数えた序数であり、ここでは、初期状態におけるセルサーチの候補を、中心周波数がｆC1であるサービスキャリアにセットすることを意味している。
【００３２】
次に、ステップＳｂ２において、制御部１０は、内部レジスタにおける変数ｋを「０」にリセットする。ここで、変数ｋは、セルサーチの候補としたサービスについてのセルサーチの連続実行回数を示すものである。
続いて、ステップＳｂ３において、制御部１０は、第１に、記憶装置１４から、現時点においてセルサーチ対象となっているサービスキャリアの周波数情報を読み出し、第２に、電界強度測定装置１６に対し、読み出した周波数情報から周波数ｆCnにおける電界強度を測定するように指示する。
これにより、電界強度測定装置１６は、周波数ｆCnにおける電界強度を実際に測定して、測定した電界強度ＥCnを、制御部１０に返信する。
【００３３】
次に、ステップＳｂ４において、制御部１０は、返信された電界強度ＥCnが予め設定されたしきい値Ｅthよりも大きいか否かを判別する。
この判別結果が否定的であれば、制御部１０は、ステップＳｂ８において、現時点でのセルサーチの候補を次のサービスキャリアに変更すべく、変数ｎを「１」だけインクリメントし、さらに、ステップＳｂ９において、インクリメント後の変数ｎがＮより大きいか否か、すなわち設置されるはずのないサービスキャリアを、セルサーチの対象としているか否かを判別する。
この判別結果が否定的であれば、制御部１０は、インクリメント後にサーチの候補となったサービスキャリアについて、電界強度を再度測定すべく、処理手順をステップＳｂ３に戻す。一方、この判別結果が肯定的であれば、制御部１０は、ステップＳｂ１０において、設置されるサービスキャリアのうち、最も中心周波数が低いキサービスキャリア（中心周波数がｆC1であるキャリア）を、サーチの候補に戻すべく、変数ｎを「１」にセットした後、該サービスキャリアについて、電界強度を再度測定すべく、処理手順をステップＳｂ３に戻す。
【００３４】
すなわち、ステップＳｂ４において、低周波数側から数えてｎ番目のサービスキャリアの中心周波数ｆCnにおける電界強度ＥCnがしきい値Ｅth以下であれば、セルサーチの候補となるサービスキャリアが、次の（ｎ＋１）番目のサービスキャリアに変更されて、セルサーチの実行する際の前提となる電界強度が測定される。一方、中心周波数が最も高いサービスキャリアの中心周波数ｆCNにおける電界強度ＥCNがしきい値Ｅth以下であれば、候補となるサービスキャリアが、初期状態（すなわち、中心周波数がｆC1であるサービスキャリア）に戻って、セルサーチの実行する際の前提となる電界強度が測定されることになる。
【００３５】
さて、ステップＳｂ４において、周波数ｆCnにおける電界強度ＥCnがしきい値Ｅthよりも大きい、と判別した場合、制御部１０は、ステップＳｂ５において、セルサーチ実行部１８に対し、現時点においてセルサーチの候補となっているサービスキャリア、すなわち周波数ｆCnを中心とし、周波数情報で規定される帯域幅のサービスキャリアを対象として、セルサーチを実行するように指示する。これにより、セルサーチ実行部１８は、上述した第１実施形態と同様に、逆拡散処理を実行して、周波数ｆCnを中心とするサービスキャリアについて、報知情報（ＢＣＣＨ情報）の取得を試みる。
【００３６】
そして、ステップＳｂ６において、制御部１０は、セルサーチ実行部１８が報知情報を取得したか否かを判別し、この判別結果が肯定的であれば、ステップＳｂ７において、圏内待受状態に移行させる。
一方、セルサーチ実行部１８が報知情報を取得できなかった場合、制御部１０は、セルサーチの実行に対応させて、ステップＳｂ１１において変数ｋを「１」だけインクリメントし、さらに、ステップＳｂ１２においてインクリメント後の変数ｋが、予め設定された実行回数の上限値ｋmaxよりも大きいか否かを判別する。
ここで、現時点においてセルサーチの候補となっているサービスキャリアについてのセルサーチ連続実行回数を示す変数ｋが上限値ｋmaxを越えている場合、制御部１０は、ステップＳｂ１３において、セルサーチの候補を次のサービスキャリアに変更すべく、変数ｎを「１」だけインクリメントし、さらに、ステップＳｂ１４において、インクリメント後で示されるサービスキャリアが、設置されないものであるか否かを判別する。
【００３７】
この判別結果が否定的であれば、制御部１０は、インクリメント後にセルサーチの候補となったサービスキャリアについて、電界強度を再度測定すべく、処理手順を直ちにステップＳｂ２に戻す。一方、この判別結果が肯定的であれば、制御部１０は、ステップＳｂ１５において、設置されるサービスキャリアのうち、最も中心周波数が低いサービスキャリア（中心周波数がｆc1であるキャリア）を、セルサーチの候補に戻すべく、変数ｎを「１」にセットした後、該サービスキャリアについて、電界強度を再度測定すべく、処理手順をステップＳｂ２に戻す。
【００３８】
このように第２実施形態では、第１に、周波数ｆC1、ｆC2、…、ｆCNを中心とするサービスキャリアを順番にセルサーチの候補とし、第２に、その中心周波数における電界強度を測定し、第３に、測定した電界強度ＥCnがしきい値Ｅth以下であれば、セルサーチの候補となるサービスキャリアを次のものに選定して、電界強度を再測定する一方、測定した電界強度ＥCnがしきい値Ｅthを越えれば、はじめてセルサーチを実行する構成となっている。
このため、第２実施形態では、電界強度が弱いサービスキャリアを対象としたセルサーチが実行されずに、スキップされるので、その分、電力消費が抑えられるとともに、中心周波数における電界強度がしきい値を越えるサービスキャリアを効率良く検出することができる。
さらに、第２実施形態では、セルサーチを実行したにもかかわらず、報知情報を取得できない回数が上限値ｋmaxを越えた場合、サーチの候補となるサービスキャリアを次のものに選定して、電界強度を再測定する構成となっているので、無駄にセルサーチが繰り返されるのが防止される。
したがって、本実施形態では、サービスキャリアが複数ある場合であっても、無駄なセルサーチ動作が二重に防止されて、消費電力が抑えられる結果、待受時間の長期化を図ることが可能となる上に、複数あるサービスキャリアのうち、１つを効率良く検出することが可能となる。
なお、第２実施形態では、複数存在するサービスキャリアのうち、低周波数側に位置するものから順番にセルサーチの候補としたが、この順番は問われない。例えば、高周波数側に位置するものから順番にセルサーチの候補としても良く、また、ランダムな順番としても良い。
【００３９】
＜第３実施形態＞
上述した第２実施形態では、サービスキャリアが複数存在する場合に、これらサービスキャリアの中心周波数における電界強度を測定し、その電界強度がしきい値Ｅthを越えるものに対応するサービスキャリアを、セルサーチの候補としたが、ＣＤＭＡ方式の規格から、サービスキャリアを推定して、セルサーチを実行することも可能である。
そこで、このようにサービスキャリアを推定してセルサーチを実行する第３および第４実施形態について、順を追って説明することにする。
【００４０】
まず、第３実施形態について説明する。３ＧＰＰ（3rd Generation Partnership Project）と呼ばれるグループが提案する規格では、キャリア・ラスタが２００ｋＨｚと規定されているため、２００ｋＨｚの周波数間隔にて、低周波数側から高周波数側に向かって（または、高周波数側から低周波数側に向かって）、電界強度を測定すると、その測定周波数は、あるサービスキャリアの周波数帯域に必ず含まれることになる。
【００４１】
そこで、第３実施形態は、図６に示されるように、第１に、サービスキャリアが設置され得る周波数帯域において、低周波数側から高周波数側に向かって、２００ｋＨｚの周波数間隔にて電界強度を測定し、第２に、測定した電界強度のうち、しきい値Ｅthを越えるものが、相当の周波数帯域幅Ｗ（ｋＨｚ）にわたっていれば、この帯域内に、サービスキャリアが存在していると推定することにした。
【００４２】
さらに、推定されるサービスキャリアの中心周波数は、理想的には、電界強度を測定の際に、最初にしきい値Ｅthを越えた周波数（図中ｆL）と、最後にしきい値Ｅthを越えた周波数（図中ｆH）との中間に位置すると考えられる。ただし、実際には、反射等による種々の影響を受けることから、本実施形態では、この中間周波数の前後に位置する複数Ｑ個について順次セルサーチを実行して、報知情報の取得を試みることにした。
【００４３】
次に、このようなアルゴリズムのセルサーチ動作について説明する。図７は、第３実施形態の処理手順を示すフローチャートである。
まず、ステップＳｃ１において、制御部１０は、内部レジスタにおける変数ｍを「１」にセットする。ここで、変数ｍは、電界強度の測定対象となる周波数を、低周波数側から数えた場合の序数を意味する。また、この変数ｍを用いて示される周波数ｆｍは、サービスキャリアが設置され得る周波数帯域の最低周波数から最高周波数までの範囲において２００ｋＨｚの間隔で配置する周波数のうち、低周波数側から数えてｍ番目のものを意味する。したがって、ステップＳｃ１において、変数ｍを「１」にセットするということは、電界強度の測定対象となる周波数を、サービスキャリアが設置され得る最低周波数にセットすることを意味する。
【００４４】
続いて、ステップＳｃ２において、制御部１０は、内部レジスタにおける変数ｐを「０」にリセットするとともに、変数ｑを「１」にセットする。なお、変数ｐ、ｑの意味内容については、後述することにする。
さらに、ステップＳｃ３において、制御部１０は、電界強度測定装置１６に対し、現時点の周波数ｆｍにおける電界強度を測定するように指示する。これにより、電界強度測定装置１６は、周波数ｆｍにおける電界強度を実際に測定して、測定した電界強度Ｅｍを、制御部１０に返信する。
【００４５】
次に、ステップＳｃ４において、制御部１０は、返信された電界強度Ｅｍが予め設定されたしきい値Ｅthよりも大きいか否かを判別する。
制御部１０は、判別結果が否定的であれば、ステップＳｃ１１において変数ｍを「１」だけインクリメントして、処理手順をステップＳｃ２に戻す一方、判別結果が肯定的であれば、ステップＳｃ５において変数ｐを「１」だけインクリメントし、さらに、ステップＳｃ６においてインクリメント後の変数ｐがしきい値ｐthと一致するか否かを判別する。そして、この判別結果が否定的であれば、制御部１０は、ステップＳｃ１２において変数ｍを「１」だけインクリメントして、処理手順をステップＳｃ３に戻す。
【００４６】
ここで、しきい値ｐthは、図６における帯域幅Ｗ（ｋＨｚ）を用いると、（Ｗ／２００）で示される値である。すなわち、しきい値ｐthは、帯域幅Ｗに存在する電界強度の測定点数を示している。
また、変数ｐは、初期状態において「０」にリセットされるとともに、測定された電界強度Ｅｍがしきい値Ｅthを越えれば、ステップＳｃ５においてインクリメントされる一方、測定された電界強度Ｅｍがしきい値以下であれば、ステップＳｃ２において「０」に再リセットされる。さらに、インクリメント後の変数ｐが、しきい値ｐthを下回れば、電界強度の測定周波数がステップＳｃ１２によって次のものに変更される。
このため、ステップＳｃ５においてインクリメントされた後の変数ｐは、測定周波数を２００ｋＨｚ間隔で高周波数側にシフトしながら電界強度を測定した場合に、測定された電界強度Ｅｍが、しきい値Ｅthを越えた連続回数を示すことになる。
したがって、ステップＳｃ６において、この回数がしきい値ｐthと一致するか否かを判別することは、しきい値Ｅthを越える電界強度Ｅｍが、相当の周波数帯域幅Ｗにわたって連続して広がっているか否か、ということ判別することに等しい。
【００４７】
この判別結果が肯定的であれば、ステップＳｃ７において、制御部１０は、第１に、電界強度Ｅｍが連続してしきい値Ｅthを越える周波数帯域内にサービスキャリアが存在すると推定し、第２に、該帯域の中心周波数の前後に位置する周波数ｆC1、ｆC2、…、ｆCQのＱ個を、サービスキャリアの中心周波数として、それぞれ設定する（図６参照）。
【００４８】
続くステップＳｃ８において、制御部１０は、セルサーチ実行部１８に対し、現時点において変数ｑに対応するサービスキャリア、すなわち、周波数ｆCQを中心とするとともに、周波数情報で規定される帯域幅のサービスキャリアを対象として、セルサーチを実行するように指示する。これにより、セルサーチ実行部１８は、上述した第１実施形態と同様に、逆拡散処理を実行して、周波数ｆCQを中心とするサービスキャリアについて、報知情報（ＢＣＣＨ情報）の取得を試みる。
【００４９】
そして、ステップＳｃ９において、制御部１０は、セルサーチ実行部１８が報知情報を取得したか否かを判別し、この判別結果が肯定的であれば、ステップＳｃ１０において、圏内待受状態に移行させる。
一方、セルサーチ実行部１８が報知情報を取得できなかった場合、制御部１０は、ステップＳｃ１３において、現時点の変数ｑが個数Ｑを越えるか否かを判別する。
この判別結果が否定的であれば、ステップＳｃ１４において制御部１０は、セルサーチの候補を変更すべく、変数ｑを「１」だけインクリメントした後、処理手順をステップＳｃ８に戻して、変更後のサービスキャリアを対象としてセルサーチを実行するようにセルサーチ実行部１８に指示する。
また、この判別結果が肯定的であれば、制御部１０は、該帯域内にサービスキャリアが存在しないとものとみなし、測定周波数を２００ｋＨｚ間隔で高周波数側にシフトしながら電界強度を測定すべく、処理手順をステップＳｃ２に戻す。
【００５０】
このように第３実施形態では、第１に、サービスキャリアが設置され得る周波数帯域において、低周波数側から高周波数側に向かって、２００ｋＨｚの周波数間隔にて電界強度を測定し、第２に、測定した電界強度のうち、しきい値Ｅthを越えるものが、相当の周波数帯域幅Ｗに相当する程度以上連続して広がっていれば、この帯域内に、サービスキャリアが存在していると推定して、セルサーチを実行する構成となっている。
このため、本実施形態では、移動機１００が、サービスキャリアに関する情報を有していない場合であっても、セルサーチの対象となるサービスキャリアがＱ個に絞り込まれるので、電力消費の大きな逆拡散処理の実行回数を低減することが可能となる。
なお、第３実施形態では、低周波数側に位置するものから高周波数側に向かった順番にて、電界強度を測定したり、サービスキャリアを候補化したりしたが、この順番は問われない。例えば、高周波数側に位置するものから順番としても良く、また、ランダムな順番としても良い。
【００５１】
＜第４実施形態＞
次に、第３実施形態と同様に、サービスキャリアを推定してセルサーチを実行する第４実施形態について説明する。
この第４実施形態は、図８に示されるように、第１に、サービスキャリアが設置され得る周波数帯域において、低周波数側から高周波数側に向かって、電界強度を連続的に測定し、第２に、測定した電界強度Ｅｍがしきい値Ｅthを初めて越えたとき、その測定周波数から、キャリアの周波数帯域幅ΔＦの半分だけ高周波寄りの周波数を、サービスキャリアの中心周波数と認識する。ただし、第３実施形態で述べたように、実際には反射等による種々の影響を受けることから、この中心周波数の前後に位置する複数Ｑ個について順次セルサーチを実行して、報知情報の取得を試みることにした。
【００５２】
次に、このようなアルゴリズムのセルサーチ動作について説明する。図９は、第４実施形態の処理手順を示すフローチャートである。
まず、ステップＳｄ１において、制御部１０は、内部レジスタにおける変数ｍおよびｑを「１」にそれぞれセットする。ここで、変数ｍは、電界強度の測定対象となる周波数を、低周波数側から数えた場合の序数を意味する。また、この変数ｍを用いて示される周波数ｆｍは、サービスキャリアが設置され得る周波数帯域の最低周波数から最高周波数まで一定間隔で配置する周波数のうち、低周波数側から数えてｍ番目のものを意味する。
【００５３】
したがって、ステップＳｄ１において、変数ｍを「１」にセットするということは、第３実施形態と同様に、電界強度の測定対象となる周波数を、サービスキャリアが設置され得る最低周波数にセットすることを意味する。
さらに、変数ｑは、第３実施形態と同様に、対象とするＱ個の周波数を、低周波数側から数えた場合の序数を意味する。なお、周波数配置については、この第４実施形態では、第３実施形態と同様に２００ｋＨｚ間隔としても良いし、それ以外でも良い。
【００５４】
続いて、ステップＳｄ２において、制御部１０は、電界強度測定装置１６に対し、現時点の周波数ｆｍにおける電界強度を測定するように指示する。これにより、電界強度測定装置１６は、周波数ｆｍにおける電界強度を実際に測定して、測定した電界強度Ｅｍを、制御部１０に返信する。
【００５５】
次に、ステップＳｄ３において、制御部１０は、返信された電界強度Ｅｍが予め設定されたしきい値Ｅthよりも大きいか否かを判別する。
この判別結果が否定的であれば、制御部１０は、電界強度の測定対象とする周波数を変更すべく、ステップＳｄ８において変数ｍを「１」だけインクリメントして、処理手順をステップＳｄ２に戻す。
一方、この判別結果が肯定的であれば、制御部１０は、ステップＳｄ４において、第１に、しきい値Ｅthを越えた電界強度Ｅｍに対応する周波数ｆｍから、キャリアの帯域幅ΔＦの半分だけ高周波寄りの周波数を、サービスキャリアの中心周波数と推定し、第２に、推定した中心周波数の前後に位置する周波数ｆC1、ｆC2、…、ｆCQのＱ個を、サービスキャリアの中心周波数として、それぞれ設定する。
【００５６】
続くステップＳｄ５において、制御部１０は、セルサーチ実行部１８に対し、現時点において変数ｑに対応するキャリア、すなわち、周波数ｆCQを中心とするとともに、周波数情報で規定される帯域幅のサービスキャリアを対象として、セルサーチを実行するように指示する。これにより、セルサーチ実行部１８は、上述した第１実施形態と同様に、逆拡散処理を実行して、周波数ｆCQを中心とするサービスキャリアについて、報知情報（ＢＣＣＨ情報）の取得を試みる。
【００５７】
そして、ステップＳｄ６において、制御部１０は、セルサーチ実行部１８が報知情報を取得したか否かを判別し、この判別結果が肯定的であれば、ステップＳｄ７において、圏内待受状態に移行させる。
一方、セルサーチ実行部１８が報知情報を取得できなかった場合、制御部１０は、ステップＳｄ９において、現時点の変数ｑが候補個数Ｑを越えるか否かを判別する。
この判別結果が否定的であれば、ステップＳｄ１０において制御部１０は、セルサーチの候補を変更すべく、変数ｑを「１」だけインクリメントした後、処理手順をステップＳｄ５に戻して、変更後のサービスキャリアを対象としてセルサーチを実行するようにセルサーチ実行部１８に指示する。
また、この判別結果が肯定的であれば、制御部１０は、ステップＳｄ１１において、現時点の周波数ｆｍに、サービスキャリアの帯域幅ΔＦを加算した値を新たな周波数ｆｍとしてセットした後、処理手順をステップＳｄ１に戻す。これにより、電界強度の測定周波数は、帯域幅ΔＦだけ高周波寄りに一気にシフトする。これは、推定したサービスキャリアが存在しないと判断したからであり、この帯域内において、再び電界強度を測定しても無意味に帰するからである。
【００５８】
このように第４実施形態では、第１に、サービスキャリアが設置され得る周波数帯域において、低周波数側から高周波数側に向かって、連続的に電界強度を測定し、第２に、測定した電界強度がしきい値Ｅthを越えた時点で、その測定周波数ｆｍから、サービスキャリアの帯域幅ΔＦの半分だけ高周波寄りの周波数を、サービスキャリアの中心周波数と推定して、セルサーチを実行する構成となっている。
このため、第４実施形態では、移動機１００が、サービスキャリアに関する情報を有していない場合であっても、セルサーチの対象となるサービスキャリアがＱ個に絞り込まれるので、電力消費の大きな逆拡散処理の実行回数を低減することが可能となる。
なお、第４実施形態でも、低周波数側に位置するものから高周波数側に向かった順番にて、電界強度を測定したり、サービスキャリアの中心周波数を候補化したりしたが、この順番は問われない。例えば、高周波数側に位置するものから順番としても良い。
【００５９】
＜第５実施形態＞
上述した第３または第４実施形態では、移動機１００が、サービスキャリアに関する情報を有していない場合であっても、測定した電界強度Ｅｍがしきい値Ｅthを越える帯域にサービスキャリアが存在すると推定して、セルサーチを実行するものであったが、推定したサービスキャリアが実際に特定することができたならば、ある程度の周波数情報から、その他のサービスキャリアについても推定することができる。
例えば図１０に示されるように、セルサーチによって中心周波数ｆc1’とするサービスキャリアを特定した場合、予め記憶装置１４内に記憶されたサービスキャリアが設置される周波数ピッチΔＦpの情報から、特定したサービスキャリア以外のサービスキャリアにおける中心周波数ｆc2’、ｆc3’、…、ｆcN’を推定することができる。
【００６０】
そこで、このように他のサービスキャリアについても推定する第５実施形態について説明することにする。図１１は、この動作手順を示すフローチャートである。
まず、記憶装置１４に、サービスキャリアに関する情報を記憶していない場合、制御部１０は、上述した第３実施形態でのステップＳｃ７以前の処理、または、上述した第４実施形態でのステップＳｄ４以前の処理によって、周波数をシフトさせて、その電界強度を測定するとともに、サービスキャリアの存在する周波数帯域を推定する（ステップＳｅ１）。
【００６１】
次に、ステップＳｅ２において、制御部１０は、セルサーチ実行部１８に対し、推定したサービスキャリアを対象として、セルサーチを実行するように指示する。これにより、セルサーチ実行部１８は、逆拡散処理を実行して、報知情報（ＢＣＣＨ情報）の取得を試み、すなわち、サービスキャリアの特定を試みる。
そして、ステップＳｅ３において、制御部１０は、セルサーチ実行部１８が報知情報を取得したか否かを判別し、この判別結果が否定的であれば、処理手順をステップＳｅ１に戻して、再度サービスキャリアを推定する一方、この判別結果が肯定的であれば、ステップＳｅ４において圏内待受状態に移行させる。
【００６２】
さらに、ステップＳｅ５において制御部１０は、特定したサービスキャリアの中心周波数ｆc1’と、周波数ピッチΔＦpの情報とから、特定したサービスキャリア以外のサービスキャリアにおける中心周波数ｆc2’、ｆc3’、…、ｆcN’を推定し、これを記憶装置１４に記憶する。
【００６３】
このように、移動機１００内の記憶装置に、サービスキャリアに関する情報を記憶していない場合であっても、第５実施形態によって、通信可能なサービスキャリアの中心周波数が推定・記憶されるので、後において、効率的なサービスキャリアを選択することが可能となる。
【００６４】
＜第６実施形態＞
次に、本発明の第６実施形態について説明する。図１２に示されるように、移動機１００が、無線基地局ＢＳの配下とするセルに在圏していない状態を想定する。この状態では、移動機１００は、通信可能なサービスキャリアを特定する必要があるが、単純にセルサーチ動作を繰り返すだけでは、電力が消費されるので、待受時間が短縮化してしまう。
そこで、第６実施形態では、サービスキャリアを特定できなかった回数をカウントし、該回数が一定値を越えた場合に電界強度を測定して、セルサーチの候補を選定することにした。
【００６５】
図１３は、第６実施形態における動作手順を示すフローチャートである。まず、制御部１０は、ステップＳｆ１において、セルサーチの連続実行回数を示す変数ｋを、「０」にリセットする。
次に、ステップＳｆ２において、制御部１０は、セルサーチ実行部１８に対し、ある一のサービスキャリアを対象とするセルサーチを実行するように指示する。これにより、セルサーチ実行部１８は、逆拡散処理を実行して、報知情報（ＢＣＣＨ情報）の取得を試みる。
【００６６】
そして、ステップＳｆ３において、制御部１０は、セルサーチ実行部１８が報知情報（ＢＣＣＨ情報）を取得したか否かを判別し、この判別結果が肯定的であれば、ステップＳｆ４において、圏内待受状態に移行させる。
一方、セルサーチ実行部１８が報知情報を取得できなかった場合、制御部１０は、ステップＳｆ５において、現時点の変数ｋが予め設定された実行回数の上限値ｋmaxよりも大きいか否かを判別する。
【００６７】
この判別結果が否定的であれば、制御部１０は、ステップＳｆ６において、セルサーチの実行に伴って変数ｋを「１」だけインクリメントした後、処理手順をステップＳｆ２に戻して、再度セルサーチを実行するようにセルサーチ実行部１８に指示する。
また、ステップＳｆ５における判別結果が肯定的である場合、制御部１０は、ステップＳｆ７において、電界強度測定装置１６に対し電界強度を測定するように指示した後、ステップＳｆ８において、測定された電界強度から、セルサーチの候補となるサービスキャリアを選定したか否かを判別する。なお、ステップＳｆ７での電界強度の測定、および、ステップＳｆ８での候補となるサービスキャリアの選定については、上述した第１から第５まで実施形態のうち、いずれかの手法を用いることができる。
【００６８】
ここで、セルサーチの候補となるサービスキャリアを選定できなければ、制御部１０は、処理手順をステップＳｆ７に戻して、セルサーチの候補となるサービスキャリアを選定するまで、電界強度測定装置１６に対し電界強度の測定を繰り返し実行させる。
一方、セルサーチの候補となるサービスキャリアを選定することができれば、制御部１０は、処理手順をステップＳｆ１に移行させ、変数ｋを「０」にリセットした後、候補に選定したサービスキャリアを対象としたセルサーチを、セルサーチ実行部１８に指示する。
【００６９】
このように第６実施形態によれば、セルサーチの連続実行回数がしきい値ｋmaxを越えると、セルサーチの候補となるサービスキャリアが選定されるまで、電界強度が繰り返し実行されることになる。ここで、電界強度の測定によって消費される電力は、セルサーチにおける逆拡散処理によって消費される電力よりも小さい。このため、移動機１００が圏外に位置する場合に消費される電力を抑えることが可能となる。
また、移動機１００が圏外から圏内に移動したとき、ステップＳｆ２におけるセルサーチによって、直ちにサービスキャリアが特定されるので、圏内待受状態に移行するまでの時間が長期化することもない。
【００７０】
＜第７実施形態＞
次に、本発明の第７実施形態について説明する。電源投入直後において、記憶装置１４にサービスキャリアに関する情報を記憶していない場合に、移動機１００は、通信可能なサービスキャリアを特定する必要があるが、単純にセルサーチ動作を繰り返すだけでは、電力が消費されるので、待受時間が短縮化してしまう。
そこで、第７実施形態では、電源投入直後にサービスキャリアに関する情報を記憶していない場合に、電界強度を測定して、セルサーチの候補を選定することにした。
【００７１】
図１４は、第７実施形態における動作手順を示すフローチャートである。まず、移動機１００において電源が投入されると、制御部１０は、ステップＳｇ１において記憶装置１４内にサービスキャリアに関する情報が記憶されているか否かを判別する。
この判別結果が否定的である場合、制御部１０は、ステップＳｇ２において、電界強度測定装置１６に対し電界強度を測定するように指示した後、ステップＳｇ３において、測定された電界強度から、セルサーチの候補となるサービスキャリアを選定したか否かを判別する。
なお、ステップＳｇ２での電界強度の測定、および、ステップＳｇ３での候補となるサービスキャリアの選定については、上述した第１から第５までの実施形態のうち、いずれかの手法を用いることができる。
【００７２】
ここで、セルサーチの候補となるサービスキャリアを選定することができなければ、制御部１０は、処理手順をステップＳｇ２に戻して、セルサーチの候補となるサービスキャリアを選定するまで、電界強度測定装置１６に対し電界強度の測定を繰り返し実行させる。
一方、セルサーチの候補となるサービスキャリアを選定することができれば、または、ステップＳｇ１での判別結果が肯定的であれば、制御部１０は、処理手順をステップＳｇ４に移行させて、候補に選定したサービスキャリア、または、記憶された情報で示されるサービスキャリアを対象としたセルサーチを、セルサーチ実行部１８に指示する。
【００７３】
そして、ステップＳｇ５において、制御部１０は、セルサーチ実行部１８が報知情報（ＢＣＣＨ情報）を取得したか否かを判別し、この判別結果が肯定的であれば、ステップＳｇ６において、圏内待受状態に移行させる。一方、セルサーチ実行部１８が報知情報を取得できなかった場合、制御部１０は、ステップＳｇ１に戻す。
【００７４】
このように第７実施形態によれば、電源投入直後において、サービスキャリアに関する情報が記憶されていなければ、セルサーチの候補となるサービスキャリアが選定されるまで、電界強度が繰り返し測定されることになる。上述したように、電界強度の測定によって消費される電力は、セルサーチにおける逆拡散処理によって消費される電力よりも小さいので、移動機１００に電源が投入直後に消費される電力を抑えることが可能となる。
【００７５】
【発明の効果】
以上説明したように本発明によれば、ＣＤＭＡ方式において、圏内待受状態に移行する際の逆拡散処理を減らし、消費される電力を削減して、待受時間の長期化を図ることが可能となる。
【図面の簡単な説明】
【図１】  本発明の各実施形態に係る移動機の構成を示すブロック図である。
【図２】  本発明の第１実施形態において想定するサービスキャリアを説明するための図である。
【図３】  第１実施形態の動作手順を示すフローチャートである。
【図４】  本発明の第２実施形態において想定するサービスキャリアを説明するための図である。
【図５】  第２実施形態の動作手順を示すフローチャートである。
【図６】  本発明の第３実施形態におけるサービスキャリアの推定動作を説明するための図である。
【図７】  第３実施形態の動作手順を示すフローチャートである。
【図８】  本発明の第４実施形態におけるサービスキャリアの推定動作を説明するための図である。
【図９】  第４実施形態の動作手順を示すフローチャートである。
【図１０】  本発明の第５実施形態における他のサービスキャリアの推定動作を説明するための図である。
【図１１】  第５実施形態の動作手順を示すフローチャートである。
【図１２】  本発明の第６実施形態において移動機の位置関係を説明するための図である。
【図１３】  第６実施形態の動作手順を示すフローチャートである。
【図１４】  本発明の第７実施形態における動作手順を示すフローチャートである。
【符号の説明】
１０…制御部
１２…アンテナ
１４…記憶装置
１６…電界強度測定装置
１８…セルサーチ実行部
１００…移動機
【図１】
0003813812.tif 000002
【図２】
0003813812.tif 000003
【図３】
0003813812.tif 000004
【図４】
0003813812.tif 000005
【図５】
0003813812.tif 000006
【図６】
0003813812.tif 000007
【図７】
0003813812.tif 000008
【図８】
0003813812.tif 000009
【図９】
0003813812.tif 000010
【図１０】
0003813812.tif 000011
【図１１】
0003813812.tif 000012
【図１２】
0003813812.tif 000013
【図１３】
0003813812.tif 000014
【図１４】
0003813812.tif 000015